(57)【要約】【課題】耐衝撃性を高めて２室輸液バッグ輸送時にその剥離性仕切部を開通し難くし、また包装用箱内で重ねた２室輸液バッグが崩れ難くし、さらに廃棄時の廃棄を容易になし得る２室輸液バッグの梱包用緩衝材を提供することである。【解決手段】柔軟なプラスチックフィルム製の縦長袋状の緩衝材であって、該緩衝材は横方向に形成された仕切部１２により大室１４と小室１６とに区画され、それぞれの室に気体を充填して２室輸液バッグ用緩衝材１０を構成した。【選択図】      図１
2004149124.tif 000002
【特許請求の範囲】
【請求項１】
柔軟なプラスチックフィルム製の縦長袋状の緩衝材であって、該緩衝材は横方向に形成された仕切部により大室と小室とに区画され、それぞれの室に気体を充填してなる２室輸液バッグ用緩衝材。
【請求項２】
プラスチックフィルムがガスバリアー性フィルムである請求項１記載の２室輸液バッグ用緩衝材。
【請求項３】
気体が空気または不活性ガスである請求項１または請求項２記載の２室輸液バッグ用緩衝材。
【請求項４】
大室の気体充填可能な容積が小室の気体充填可能な容積の１．５〜５倍である請求項１〜請求項３のいずれか１項に記載の２室輸液バッグ用緩衝材。
【請求項５】
小室に充填した気体容積が５０〜５００ｍＬである請求項１〜請求項４のいずれか１項に記載の２室輸液バッグ用緩衝材。
【請求項６】
小室側と大室側に破断用切れ込みが形成されてなる請求項１〜請求項５のいずれか１項に記載の２室輸液バッグ用緩衝材。
【請求項７】
易剥離性仕切部により大室と小室の２室に区画されてなる２室輸液バッグの梱包方法であって、包装用箱の底部に請求項１〜請求項６のいずれか１項に記載の２室輸液バッグ用緩衝材を置き、その上に小室が上になるように易剥離性仕切部で折り畳んだ２室輸液バッグを折り畳みの折目が緩衝材の大室側となるように重ね、その上にさらに前記２室輸液バッグを互い違いに重ねて梱包するようにした２室輸液バッグの梱包方法。
【請求項８】
易剥離性仕切部により大室と小室の２室に区画されてなる２室輸液バッグの梱包方法であって、包装用箱の底部に請求項１〜請求項６のいずれか１項に記載の２室輸液バッグ用緩衝材を置き、その上に小室が上になるように易剥離性仕切部で折り畳んだ２室輸液バッグを折り畳みの折目が緩衝材の小室側となるように重ね、その上にさらに前記２室輸液バッグを互い違いに重ねて梱包するようにした２室輸液バッグの梱包方法。
【請求項９】
２〜７袋の２室輸液バッグを重ねるようにした請求項７または請求項８記載の２室輸液バッグの梱包方法。
【発明の詳細な説明】
【０００１】
【発明の属する技術分野】
本発明は２室輸液バッグの梱包用緩衝材とそれを用いた梱包方法に関するものであり、特に緩衝材はプラスチックフィルム製の大小の２室を有する袋状の緩衝材に関するものである。
【０００２】
【従来の技術】
【特許文献１】特開平１１−９１７４４号公報
【特許文献２】特開２０００−１２８１５０号公報
従来より、２室輸液バッグは、易剥離性仕切部（弱シール部）を有するので、輸送時に開通しないようにするために、仕切部で折り畳んだ状態で外装袋に入れて個装し、これを包装用箱に入れて梱包することが行われている。その梱包方法としては、（１）２室輸液バッグをそれぞれ１袋づつ小箱に収容し、さらにその複数の小箱を並べて包装用箱に収容する方法（特開平１１−９１７４４号）、（２）仕切板で区切った包装用箱内に２室輸液バッグをそれぞれ１袋づつ収容する方法（特開２０００−１２８１５０号）、（３）包装用箱内に２室輸液バッグを単に互い違いに積み重ねる方法等がある。
【０００３】
【発明が解決しようとする課題】
ところが、このような梱包方法では、以下のような問題点がある。すなわち前記▲１▼の方法では、小箱の数が多くなり、コストアップとなる上に、廃棄物も多くなる。▲２▼の方法では、仕切板の分だけ廃棄物が嵩張る上に、仕切板があるため廃棄時に折り畳み難い。▲３▼の方法では、▲１▼、▲２▼の方法に比し耐衝撃性が低く、例えば２室輸液バッグの折り目が易剥離性仕切部からずれている場合には、衝撃により仕切部が開通するおそれがある。また、２つ折りした２室輸液バッグは上面が傾斜しており、互い違いに積み重ねても、崩れるおそれがある。なお、衝撃を受け難くするために、包装用箱底部に緩衝材を敷くことが考えられるが、通常の緩衝材は平坦なので、崩れることの問題点は解決されない。
本発明はこのような事情を背景としてなされたものであり、本発明の目的は
耐衝撃性を高めて２室輸液バッグ輸送時にその剥離性仕切部が開通し難くし、また重ねた２室輸液バッグが崩れ難くし、さらに廃棄時の廃棄を容易になし得る２室輸液バッグ用緩衝材を提供することである。
【０００４】
【課題を解決するための手段】
このような目的を達成するためになされた本発明は、次のように構成される。Ａ  柔軟なプラスチックフィルム製の縦長袋状の緩衝材であって、該緩衝材は横方向に形成された仕切部により大室と小室とに区画され、それぞれの室に気体を充填してなる２室輸液バッグ用緩衝材。
Ｂ  プラスチックフィルムがガスバリアー性フィルムであるＡ項記載の２室輸液バッグ用緩衝材。
Ｃ  気体が空気または不活性ガスであるＡ項またはＢ項記載の２室輸液バッグ用緩衝材。
Ｄ  大室の気体充填可能な容積が小室の気体充填可能な容積の１．５〜５倍であるＡ項〜Ｃ項のいずれか１項に記載の２室輸液バッグ用緩衝材。
Ｅ  小室に充填した気体容積が５０〜５００ｍＬであるＡ項〜Ｄ項のいずれか１項に記載の２室輸液バッグ用緩衝材。
Ｆ  小室側と大室側に破断用切れ込みが形成されてなるＡ項〜Ｅ項のいずれか１項に記載の２室輸液バッグ用緩衝材。
Ｇ  易剥離性仕切部により大室と小室の２室に区画されてなる２室輸液バッグの梱包方法であって、包装用箱の底部にＡ項〜Ｆ項のいずれか１項に記載の２室輸液バッグ用緩衝材を置き、その上に小室が上になるように易剥離性仕切部で折り畳んだ２室輸液バッグを折り畳みの折目が緩衝材の大室側となるように重ね、その上にさらに前記２室輸液バッグを互い違いに重ねて梱包するようにした２室輸液バッグの梱包方法。
Ｈ  易剥離性仕切部により大室と小室の２室に区画されてなる２室輸液バッグの梱包方法であって、包装用箱の底部にＡ項〜Ｆ項のいずれか１項に記載の２室輸液バッグ用緩衝材を置き、その上に小室が上になるように易剥離性仕切部で折り畳んだ２室輸液バッグを折り畳みの折目が緩衝材の小室側となるように重ね、その上にさらに前記２室輸液バッグを互い違いに重ねて梱包するようにした２室輸液バッグの梱包方法。
Ｉ  ２〜７袋の２室輸液バッグを重ねるようにしたＧ項またはＨ項記載の２室輸液バッグの梱包方法。
【０００５】
【発明の実施の形態】
以下本発明の実施例を記載した図面に基づいて、発明の実施の形態を詳細に説明する。
図１において１０は２室輸液バッグの梱包時に使用する緩衝材であり、ガスバリアー性のプラスチックフィルムでつくられ、縦長袋状でかつ横方向に形成された仕切部１２により大室１４と小室１６の２つに区画され、それぞれに気体が充填されている。緩衝材１０は重ね合わせた２枚のプラスチックフィルムの周縁が溶着されると共に中間部が所定幅で溶着されてなる仕切部１２により大室１４と小室１６に区画される。大室１４の気体収容可能な容積は小室１６のそれの１．５〜５倍とするのが望ましく、さらに小室１６に充填する気体容積を５０〜５００ｍＬとすれば好適である。また、大室１４、小室１６の両縁には破断用切れ込み１８、２０が形成されている。廃棄の際に破袋し中の気体を出せば、かさが小さくなり、廃棄処理が容易になる。
【０００６】
ガスバリアー性フィルムとしては、例えば塩化ビニリデン、エチレン、ビニルアルコール共重合体等が使用される。ガスバリアー性フィルムの使用は、両室に充填した気体が漏れて減少することがないので、長期間好適な梱包状態を維持できるという利点がある。フィルムはガスバリアー性のものに代えて、例えばポリエチレンやポリプロピレン等のような通常の熱可塑性プラスチックを使用することも可能である。長期間の保管や長時間の輸送等を要しない場合等には、緩衝材の製造コストを軽減し得る利点がある。また、プラスチックフィルムは多層フィルムとしてもよい。
両室１４、１６に充填する気体としては、空気のほか、窒素、二酸化炭素、アルゴン等の不活性ガスを採用できる。
【０００７】
以上のように構成された実施例の緩衝材１０は、次のようにして２室輸液バッグの梱包に使用される。一方、２室輸液バッグ３０は図２に示すように易剥離性仕切部３２により大室３４と小室３６に仕切られているが、梱包に当たっては先ず図３（イ）に示すように易剥離性仕切部３２で折り畳まれ、さらに同図（ロ）に示すように外装袋３８に収納され密封されて個装されている。
包装用箱４０への梱包は、図４に示すように緩衝材１０を包装用箱４０の底に置き、その上に小室３６が上になるように易剥離性仕切部３２で折り畳んだ２室輸液バッグ３０を、折目が緩衝材１０の小室１６側になるように重ね、さらにその上に他の２室輸液バッグを折り目が逆になるように互い違いに必要数重ねて行う。重ねる袋数としては、２〜７袋程度が好ましい。
【０００８】
図５は本発明の梱包方法の他の実施例を示す。なお、変更を要しない部分は同一の番号を付して詳しい説明は省略する。
２室輸液バッグ４４は大室４６と小室４８を有し、これを易剥離性仕切部５０で小室４８が上になるように折り畳み、これを外装袋３８で覆い密封される点では、前記実施例と同様である。但し、梱包時に緩衝材１０に載せる最下段の２室輸液バッグ４４の置き方が異なる。すなわち、易剥離性仕切部５０の折目が緩衝材１０の大室１４側となるように２室輸液バッグ４４を置く点が異なっている。
【０００９】
このように、緩衝材１０は大室１４と小室１６を有し、各部の高さが異なるようにされているので、その上に重ねるべき外装袋３８入りの２室輸液バッグ３０、４４の傾きを加減でき、包装箱内で２室輸液バッグが横にずれることを抑制して梱包を好適に行い得る利点がある。また、２室輸液バッグには気体が充填されているので、その弾性により輸送時の衝撃を緩和し、２室輸液バッグの損傷を防止し得る利点がある。
【００１０】
前記実施例においては、プラスチックフィルムとしてガスバリアー性のものをを使用したが、これに代えて、例えばポリエチレンやポリプロピレン等のような通常の熱可塑性プラスチックを使用することも可能である。長期間の保管や長時間の輸送等を要しない場合等には、緩衝材の製造コストを軽減し得る利点がある。また、プラスチックフィルムは多層フィルムとすることも可能である。
両室１４、１６に充填する気体は、空気のほか、窒素、二酸化炭素、アルゴン等の不活性ガスを使用できる。
以上本発明の実施例について説明したが、本発明はこのような実施例に何ら限定されるものではなく、本発明の要旨を逸脱しない範囲において種々なる態様で実施し得ることはもちろんである。
【００１１】
【発明の効果】
本発明は上述のように構成されているので、次に記載する効果を奏する。
緩衝材は大室と小室を有し、各部の高さが異なるようにされているので、その上に重ねるべき２室輸液バッグの傾きを加減でき、包装用箱内で２室輸液バッグが横にずれることを抑制して梱包を好適に行い得る利点がある。また、２室輸液バッグには気体が充填されているので、その弾性により輸送時の衝撃を緩和し、２室輸液バッグの損傷と易剥離性仕切部の開通を防止し得る利点がある。
プラスチックフィルムとしてガスバリアー性のものを使用すれば、両室に充填した気体が漏れて減少することが起きにくいので、長期間好適な梱包状態を維持できるという利点がある。
緩衝材の大室の気体充填可能な容積を小室の気体充填可能な容積の１．５〜５倍とすれば、その上に重ねる２室輸液バッグの傾きの加減の度合いがよくなり好適な梱包ができる。また、小室に充填した気体容積を５０〜５００ｍＬとすれば、さらに好適な梱包ができる。
大室と小室に破断用切れ込みを設けておけば、廃棄時に破袋し易く、中の気体を容易に出すことができるので、嵩を小さくでき、廃棄処理が容易となる。
本発明の梱包方法によれば、包装材が少なくてすみ、廃棄物の量が少なくなる。また、包装用箱底部の緩衝材により輸送時の衝撃を吸収し、２室輸液バッグの損傷を防止できる。緩衝材は折り畳んだ２室輸液バッグ上面の傾きを加減し、包装用箱内で積み重ねた２室輸液バッグを崩れ難くして、良好な梱包状態を維持できる。
梱包時に、緩衝材に２室輸液バッグを載せる際、易剥離性仕切部の折目を緩衝材の大室側とし、あるいは小室側とすることによって、折り畳んだ２室輸液バッグの傾きを加減し、積み重ねた状態から崩れ難くすることとができる。
【図面の簡単な説明】
【図１】（イ）、（ロ）は本発明の一実施例を示す正面図と側面図である。
【図２】同実施例の使用対象である２室輸液バッグの正面図である。
【図３】（イ）、（ロ）は同２室輸液バッグの個装状態を示す説明図である。
【図４】同実施例の使用状態を示す説明図である。
【図５】本発明の他の梱包方法の実施例を示す説明図である。
【符号の説明】
１０  緩衝材
１２  仕切部
１４  大室
１６  小室
１８  切れ込み
２０  切れ込み
３０  ２室輸液バッグ
３２  易剥離性仕切部（弱シール部）
３４  大室
３６  小室
３８  外装袋
４０  包装用箱
４４  ２室輸液バッグ
４６  大室
４８  小室
５０  易剥離性仕切部
【図１】
2004149124.tif 000003
【図２】
2004149124.tif 000004
【図３】
2004149124.tif 000005
【図４】
2004149124.tif 000006
【図５】
2004149124.tif 000007